(57)【要約】【課題】磁力展開式の玩具を転動自在にすることにより、ゲーム装置の商品価値を格段に向上させ、遊戯者に新鮮な驚きや知的興奮を与える。【解決手段】外部構造体と、外部構造体の内部に収納される内部構造体と、を備える玩具１を有するゲーム装置であって、外部構造体は、外部係止部５ｃ、７ｃと、外部構造体を転動自在な第１の形状から第２の形状へと変形させるスプリング３０〜３２と、を有し、内部構造体は、磁石１１と、磁石１１とともに移動する内部係止部１０ｃと、内部係止部１０ｃを特定の方向に付勢するスプリング１２と、を有する。磁力が作用しない場合に内部係止部１０ｃと外部係止部５ｃ、７ｃとの係止状態が実現されて外部構造体の第１の形状が維持される一方、磁力が作用した場合に磁石１１及び内部係止部１０ｃが移動し内部係止部１０ｃと外部係止部５ｃ、７ｃとの係止状態が解除されて外部構造体が第２の形状へと変形する。【選択図】図１
2011212500.tif 000002
【特許請求の範囲】
【請求項１】
外形が略球形の玩具と、前記玩具をシュートするシュータと、磁性部材が配置された走行面と、を備え、
前記玩具は、
一つのキャラクタを構成する複数の構成部材と、下部部材と、係止部材と、外部磁性部材との間で作用する磁力により移動するように前記下部部材内に配置された磁性体と、弾性部材と、を備え、前記磁性体に前記磁力が作用していないときは前記弾性部材の弾性力に抗して前記構成部材の少なくともいくつかを前記係止部材と該係止部材に対応する前記構成部材に設けられた係止部との係合によって所定配置に保持することによって第１の形状を維持し、前記磁性体に前記磁力が作用したとき前記磁性体が移動し前記磁性体の移動に連動して前記係止部材と前記係止部による係止が解除されて第２の形状に変形するように構成されてなり、
前記複数の構成部材は、少なくとも一つの内部部材と複数の外部部材とを有し、前記外部部材と前記内部部材は前記玩具が前記第２の形状に変形したときに前記一つのキャラクタを構成するように配置されており、前記第１の形状にあるとき、前記複数の外部部材は、隣接する部材と互いに契合して前記下部部材ととともに前記略球形形状を構成し内側に収容空間を構成するように配置され、前記外部部材の各々は前記弾性力に抗して保持されて前記略球形形状が維持され、前記内部部材は、前記収容空間内に収容されて外部から見えないように配置されてなり、
ユーザの操作によって前記玩具が前記シュータから放出されて前記走行面上を移動し前記磁性部材が配置された位置に到達したときに、該磁性部材と前記磁性体の間に作用する磁力によって前記磁性体が移動して前記係止部材と前記係止部による係止が解除され、前記外部部材の各々は解除された前記弾性力によって外方向に回動して開かれ、隠れていた前記内部部材が現れ、前記複数の外部部材と前記内部部材とによって構成される前記キャラクタが出現するように構成されたゲーム装置。
【発明の詳細な説明】
【技術分野】
【０００１】
本発明は、ゲーム装置に関し、特に、磁力の作用により変形するゲーム装置に関する。
【背景技術】
【０００２】
従来より、磁力の作用により各種遊戯効果を発揮させる玩具が提案され、実用化されている。例えば、永久磁石が設けられた人形と、磁性体が設けられたハウス本体と、を備え、磁力の作用により展開する玩具が提案されている（例えば、特許文献１参照。）。かかる玩具は、人形がハウス本体に接近した場合に、人形に設けられた磁石がハウス本体に設けられた磁性体を吸引することにより、ハウス本体の展開やドアの開放を自動的に実現させるものである。
【先行技術文献】
【特許文献】
【０００３】
【特許文献１】実公平６−１６０号公報
【発明の概要】
【発明が解決しようとする課題】
【０００４】
ところで、前記した特許文献１に記載されたような従来の磁力展開式の玩具（例えばハウス本体の玩具）は、磁力により作動する機構をその内部に組み込む必要があるが、特定の場所に載置された状態で使用に供されるものであるため、設計の際にその形状や大きさが制約されることは少ない。
【０００５】
しかし、例えば、磁力展開式の玩具をシュートするシュータを用いて、レールや各種トラップが設けられた走行玩具の上でこの玩具を走行させるようなシューティングゲームを開発しようとした場合には、玩具自体の小型化や形状の改良が必要となるが、この際に以下のような問題が発生する。
【０００６】
すなわち、磁力展開式の玩具の小型化を実現させるためには、（１）磁力により作動する各種機構を内蔵するための空間と、（２）展開される部分を収納するための空間と、の双方を設ける必要があるが、これら双方の空間を小型の玩具の内部に確保することは設計上多大な困難を伴う。また、磁力展開式の玩具を用いたシューティングゲームを可能にするためには、この玩具を転動自在な形状（例えば球形状）にする必要があるが、かかる転動自在な形状を採用しながら小型化を図ることは設計上さらなる困難が伴い、従来の技術によっては未だ実現されていなかった。
【０００７】
本発明は、かかる事情に鑑みてなされたものであり、磁力展開式の玩具を転動自在にすることにより、玩具の商品価値を格段に向上させ、遊戯者に新鮮な驚きや知的興奮を与えるゲーム装置を提供することを目的とする。
【課題を解決するための手段】
【０００８】
前記目的を達成するため、本発明は、外形が略球形の玩具と、前記玩具をシュートするシュータと、磁性部材が配置された走行面と、を備え、前記玩具は、一つのキャラクタを構成する複数の構成部材と、下部部材と、係止部材と、外部磁性部材との間で作用する磁力により移動するように前記下部部材内に配置された磁性体と、弾性部材と、を備え、前記磁性体に前記磁力が作用していないときは前記弾性部材の弾性力に抗して前記構成部材の少なくともいくつかを前記係止部材と該係止部材に対応する前記構成部材に設けられた係止部との係合によって所定配置に保持することによって第１の形状を維持し、前記磁性体に前記磁力が作用したとき前記磁性体が移動し前記磁性体の移動に連動して前記係止部材と前記係止部による係止が解除されて第２の形状に変形するように構成されてなり、前記複数の構成部材は、少なくとも一つの内部部材と複数の外部部材とを有し、前記外部部材と前記内部部材は前記玩具が前記第２の形状に変形したときに前記一つのキャラクタを構成するように配置されており、前記第１の形状にあるとき、前記複数の外部部材は、隣接する部材と互いに契合して前記下部部材ととともに前記略球形形状を構成し内側に収容空間を構成するように配置され、前記外部部材の各々は前記弾性力に抗して保持されて前記略球形形状が維持され、前記内部部材は、前記収容空間内に収容されて外部から見えないように配置されてなり、ユーザの操作によって前記玩具が前記シュータから放出されて前記走行面上を移動し前記磁性部材が配置された位置に到達したときに、該磁性部材と前記磁性体の間に作用する磁力によって前記磁性体が移動して前記係止部材と前記係止部による係止が解除され、前記外部部材の各々は解除された前記弾性力によって外方向に回動して開かれ、隠れていた前記内部部材が現れ、前記複数の外部部材と前記内部部材とによって構成される前記キャラクタが出現するように構成されたゲーム装置を提供するものである。
【０００９】
また、前記目的を達成するため、本発明に係る玩具は、転動自在な第１の形状から第２の形状へと変形するように構成された外部構造体と、この外部構造体の内部に収納される内部構造体と、を備える玩具であって、外部構造体は、外部係止部と、外部構造体を第１の形状から第２の形状へと変形させる変形手段と、を有し、内部構造体は、玩具の外部から作用する磁力により移動する磁性体と、磁性体の移動に連動して移動する内部係止部と、この内部係止部を特定の方向に移動又は回動させるための力を作用させる付勢手段と、を有し、玩具の外部から磁力が作用しない場合に、付勢手段の力により特定の方向に移動又は回動した内部係止部と外部係止部との係止状態が実現されて外部構造体の第１の形状が維持される一方、玩具の外部から磁力が作用した場合に、磁性体及び内部係止部が付勢手段の力に抗して移動又は回動し内部係止部と外部係止部との係止状態が解除されて、変形手段により外部構造体が第１の形状から第２の形状へと変形することを特徴としてもよい。
【００１０】
かかる構成によれば、玩具の外部から磁力が作用しない場合には、付勢手段の力により特定の方向に移動又は回動した内部係止部と外部係止部との係止状態が実現されて、外部構造体の転動自在な第１の形状（例えば略球形状）が維持される。一方、玩具の外部から磁力が作用した場合には、磁性体及び内部係止部が付勢手段の力に抗して移動又は回動し、内部係止部と外部係止部との係止状態が解除されて、変形手段により外部構造体が第１の形状から第２の形状へと変形する。
【００１１】
すなわち、玩具の外部から磁性体を吸引する力（磁力）が作用しない限り、玩具は転動自在な第１の形状を維持することができる。従って、例えば、本発明に係る玩具を走行玩具上で走行させるようなシューティングゲーム等の遊戯を実現させることが可能となる。また、玩具の外部から磁力を作用させるだけで、玩具内部の磁性体及び内部係止部が移動又は回動して、内部構造体の内部係止部と外部構造体の外部係止部との係止状態が解除されるので、玩具は第１の形状から第２の形状へと自動的に変形することができる。従って、例えば、走行玩具の特定位置に磁石を配置することにより、転動自在な第１の形状で走行玩具上を走行している玩具を特定位置で突然別の形状（第２の形状）に変形させることが可能となる。また、玩具を第１の形状から第２の形状へと変形させるための機構が比較的簡素であるので、玩具の小型化を実現させることも可能となる。この結果、玩具の商品価値を格段に向上させることができ、遊戯者に新鮮な驚きや知的興奮を与えることが可能となる。
【００１２】
前記玩具において、磁性体と一体的に玩具の中心位置と表面近傍位置との間を直線的に移動する内部係止部を採用することができる。かかる場合においては、内部係止部を玩具の表面近傍位置から中心位置に向けて移動させるための力を作用させる付勢手段を採用することができる。
【００１３】
また、前記玩具において、内部構造体として、第１の内部回動軸を中心に磁性体と一体的に回動する第１の内部回動部と、この第１の内部回動部の回動に連動して第２の内部回動軸を中心に回動する第２の内部回動部と、を設けることができる。かかる場合においては、第２の内部回動部と一体的に回動する内部係止部を採用するとともに、第２の内部回動部及び内部係止部を特定方向に回動させるための力を作用させる付勢手段を採用することができる。
【００１４】
また、前記玩具において、外部構造体として、第１の外部回動軸を中心に回動する第１の外部回動部材と、第２の外部回動軸を中心に回動する第２の外部回動部材と、を設けることができる。かかる場合においては、変形手段として、第１及び第２の外部回動部材を回動させるような力を作用させる回動手段を採用することができる。また、玩具の外部から磁力が作用して内部係止部と外部係止部との係止状態が解除された場合に、第１の外部回動部材の回動と、第２の外部回動部材の回動と、がこの順で実現されるような構成を採用することもできる。
【００１５】
また、前記玩具において、外部構造体は第２の形状から第１の形状へと復元自在な構成とされ、外部構造体を第２の形状から第１の形状へと復元させた場合に、内部係止部と外部係止部との係止状態が実現され、外部構造体の第１の形状が再度維持されるような構成を採用することが好ましい。
【００１６】
かかる構成を採用すると、磁力の作用により玩具が第１の形状から第２の形状へと変形した後においても、玩具を転動自在な第１の形状に復元して再使用することができるので、シューティングゲーム等の遊戯を繰り返し行うことができる。
【発明の効果】
【００１７】
本発明によれば、磁力展開式の玩具を転動自在とすることができるので、玩具の商品価値を格段に向上させ、遊戯者に新鮮な驚きや知的興奮を与えることが可能となる。
【図面の簡単な説明】
【００１８】
【図１】本発明の第１実施形態に係る玩具の分解斜視図である。
【図２】図１に示した玩具の変形前の状態の平面図である。
【図３】図１に示した玩具の変形前の状態の正面図である。
【図４】図１に示した玩具の変形前の状態の斜視図である。
【図５】図１に示した玩具の図２におけるV−V部分の部分断面図であって、（ａ）は変形前の状態を示すもの、（ｂ）は変形後の状態を示すものである。
【図６】図１に示した玩具の図３におけるVI−VI部分の部分断面図であって、（ａ）は変形前の状態を示すもの、（ｂ）は変形後の状態を示すものである。
【図７】図１に示した玩具の変形後の状態の斜視図である。
【図８】本発明の第２実施形態に係る玩具の分解斜視図である。
【図９】図８に示した玩具の変形前の状態の平面図である。
【図１０】図８に示した玩具の変形前の状態の正面図である。
【図１１】図８に示した玩具の変形前の状態の斜視図である。
【図１２】図８に示した玩具の図１０におけるXII−XII部分の部分断面図であって、（ａ）は変形前の状態を示すもの、（ｂ）は変形中の状態を示すものである。
【図１３】図８に示した玩具の変形後の状態を示す左側面図である。
【図１４】図８に示した玩具の変形後の状態を示す平面図である。
【図１５】図８に示した玩具の変形後の状態の斜視図である。
【発明を実施するための最良の形態】
【００１９】
＜第１実施形態＞
以下、図１〜図７を参照して、本発明の第１実施形態に係る玩具１について説明する。本実施形態に係る玩具１は、磁力の作用により、転動自在な球形状（第１の形状：図２〜図４）から、「邪悪な天使」を象徴する架空のキャラクタの形状（第２の形状：図７）へと変形するものである。
【００２０】
まず、本実施形態に係る玩具１の構成について説明する。
【００２１】
玩具１は、図１〜図４に示すように、玩具１の外側に配置され全体として球形状を形成する外部構造体と、外部構造体の内部に収納される内部構造体と、から構成されている。外部構造体は、玩具１の下方部分を構成する下方部材２、玩具１の上方部分を構成する上方部材３、玩具１の上下方向中央領域の環状部分を構成する４つの側方部材４〜７等を有している。また、内部構造体は、玩具１の内部前方位置に配置されキャラクタの前面部を構成する前方部材８、玩具１の内部後方位置に配置されキャラクタの背面部を構成する後方部材９、前方部材８と後方部材９との間に配置される係止部材１０、係止部材１０の下方に固着される磁石１１、係止部材１０を上方に移動させるための力を作用させるスプリング１２、後方部材９の左右後方に配置され側方部材４〜７を支持する支持部材１３、１４等を有している。
【００２２】
外部構造体の下方部材２は、図１〜図３等に示すように、球体の一部を切断したような薄いドーム形状を呈しており、その外表面は球形状の一部（下方部分）を構成する。下方部材２の中央部には、図１及び図５に示すように、円形の貫通孔２ａが設けられている。貫通孔２ａの内部空間には、内部構造体の係止部材１０、磁石１１及びスプリング１２が玩具１の中央位置と表面近傍位置との間で直線的に移動自在に配置される。この際、図５に示すように、磁石１１と玩具１の表面近傍付近との間に、磁石移動用の空間が形成される。これら係止部材１０等については後に詳述する。
【００２３】
外部構造体の上方部材３は、図１〜図３等に示すように、球体の一部を切断したような薄いドーム形状を呈しており、その外表面は球形状の一部（上方部分）を構成する。上方部材３の内部には、図１及び図６に示すように、前方部材８及び後方部材９の上部（キャラクタの頭部）を収納するための凹部３ａが形成されている。また、上方部材３の縁部には、図１及び図２に示すように切欠部３ｂが設けられている。この切欠部３ｂには、内部構造体の後方部材９の後方突出部９ａが嵌め込まれる。そして、上方部材３は、図２に示すように、回動軸２０を介して後方部材９の後方突出部９ａに回動自在に連結される。この際、上方部材３と後方部材９との間に配置されるスプリング３０の弾性力により、上方部材３が上方（すなわち後方部材９に対して離隔する方向）に回動するように付勢されている。
【００２４】
また、上方部材３の縁部の切欠部３ｂと対向する位置には、図１及び図６に示すように、断面Ｌ字状の凸部３ｃが設けられており、この凸部３ｃは、側方部材４の凹部４ｂに係止するようになっている。側方部材４が閉じられている場合には、図６（ａ）に示すように、上方部材３の凸部３ｃが側方部材４の凹部４ｂに係止しているため、上方部材３が上方に回動することはない。一方、側方部材４が側方に開かれた場合には、図６（ｂ）に示すように、上方部材３の凸部３ｃと側方部材４の凹部４ｂとの係止状態が解除されるため、スプリング３０の弾性力により、上方部材３が上方に回動することとなる。
【００２５】
外部構造体の側方部材４〜７は、図１等に示すように、所定の厚さ及び幅を有する略円弧形状の殻状部材であり、組み合わせられることによりその外表面は球形状の一部（上下方向中央領域の環状部分）を構成する。側方部材４〜７の一方の端部には、軸受部４ａ〜７ａが設けられている。図１及び図３等において右側に配置される上下２つの側方部材４、５の各軸受部４ａ、５ａは、右側に配置される支持部材１３の切欠部１３ａに嵌め込まれる。そして、これら右側の側方部材４、５は、回動軸２１を介して支持部材１３に連結される。この際、側方部材４と支持部材１３との間に配置されるスプリング３１の弾性力により、側方部材４が外方（すなわち開く方向）に回動するように付勢されている。一方、図１及び図３等において左側に配置される上下２つの側方部材６、７の各軸受部６ａ、７ａは、左側に配置される支持部材１４の切欠部１４ａに嵌め込まれる。そして、これら左側の側方部材６、７は、回動軸２２を介して支持部材１４に連結される。この際、側方部材６と支持部材１４との間に配置されるスプリング３２の弾性力により、側方部材６が外方（すなわち開く方向）に回動するように付勢されている。
【００２６】
また、図１及び図３等において下方に配置される左右２つの側方部材５、７の上方には、各々、突片５ｂ、７ｂが設けられている。下方に配置される右側の側方部材５の突片５ｂは、上方に配置される右側の側方部材４の図示されていない溝部に嵌め込まれる。これにより、スプリング３１の弾性力により右側上方の側方部材４が回動軸２１を中心に回動すると、この側方部材４と一体的に右側下方の側方部材５が回動することとなる。また、下方に配置される左側の側方部材７の突片７ｂは、上方に配置される左側の側方部材６の図示されていない溝部に嵌め込まれる。これにより、スプリング３２の弾性力により左側上方の側方部材６が回動軸２２を中心に回動すると、この側方部材６と一体的に左側下方の側方部材７が回動することとなる。
【００２７】
また、図１及び図３等において下方に配置される左右２つの側方部材５、７の内側には、図１及び図５に示すように、内部構造体の係止部材１０の左右２つの内部係止部１０ｃ、１０ｃに各々係止されるコ字状の外部係止部５ｃ、７ｃが設けられている。玩具１に磁力が作用せず内部構造体の係止部材１０がスプリング１２の弾性力により上方に付勢されている場合には、図５（ａ）に示すように、右側の側方部材５の外部係止部５ｃが係止部材１０の右側の内部係止部１０ｃに、左側の側方部材７の外部係止部７ｃが係止部材１０の左側の内部係止部１０ｃに、各々係止しているため、側方部材５、７が外方に回動することはない。一方、玩具１に磁力が作用して内部構造体の係止部材１０が下方に移動した場合には、図５（ｂ）に示すように、係止部材１０の内部係止部１０ｃ、１０ｃと側方部材５、７の外部係止部５ｃ、７ｃとの係止状態が解除されるため、スプリング３１、３２の弾性力により、側方部材４、６（及びこれらと同時に回動する側方部材５、７）が外方に回動することとなる。
【００２８】
なお、外部構造体の側方部材４〜７は本発明における第１の外部回動部材に相当し、回動軸２１、２２は本発明における第１の外部回動軸に相当する。また、上方部材３は本発明における第２の外部回動部材に相当し、回動軸２０は本発明における第２の外部回動軸に相当する。また、上方部材３を回動させるための力を作用させるスプリング３０及び側方部材４〜７を回動させるための力を作用させるスプリング３１、３２は、本発明における回動手段及び変形手段に相当する。
【００２９】
内部構造体の前方部材８及び後方部材９は、図１及び図５等に示すように、外部構造体の下方部材２の上方に配置され、組み合わせられてネジ４０で結合されることによりキャラクタの胴部及び頭部を構成する。前方部材８及び後方部材９が結合されて構成される胴部内には、図５に示すように、係止部材１０を上下方向に移動自在に収納するための空間が形成される。この空間は、下方部材２の貫通孔２ａの内部空間に連通するように玩具１の中心位置から玩具１の表面近傍側に向けて形成されており、この空間と磁石１１とがほぼ直線上に配置されるようになっている。また、後方部材９の左右後方には、支持部材１３、１４が装着される。
【００３０】
内部構造体の係止部材１０は、図１及び図５等に示すように、左右方向に延在する左右延在部１０ａと、左右延在部１０ａの中央部から下方に延在する先細筒状部１０ｂと、を有する略Ｔ字形状を呈している。そして、左右延在部１０ａの両端には内部係止部１０ｃ、１０ｃが設けられており、先細筒状部１０ｂの下端部には磁石１１が固着されている。内部係止部１０ｃ、１０ｃは、外部構造体の外部係止部５ｃ、７ｃに各々係止される。磁石１１は、図５に示すように、玩具１の表面（外部構造体の下方部材２の表面）近傍に配置される。スプリング１２は、図５に示すように、その下端が下方部材２の貫通孔２ａに設けられた支持部２ｂによって支持されており、係止部材１０の先細筒状部１０ｂの外周面を上方に押し上げるような弾性力を作用させる。なお、磁石１１は本発明における磁性体に相当し、スプリング１２は本発明における付勢手段に相当する。
【００３１】
次に、本実施形態に係る玩具１の変形動作について説明する。
【００３２】
玩具１の内部構造体の磁石１１の近傍に金属等の磁性体が存在しない場合には、磁石１１が磁力により移動することはなく、内部構造体のスプリング１２の弾性力により係止部材１０が玩具１の外部から中央部へと押圧された状態が維持される。この状態においては、図５（ａ）に示すように、内部構造体の係止部材１０の左右の内部係止部１０ｃ、１０ｃに外部構造体の外部係止部５ｃ、７ｃが係止されて、図２〜図４に示すように外部構造体の球形状（第１の形状）が維持される。
【００３３】
一方、図５（ｂ）に示すように、玩具１の内部構造体の磁石１１の近傍に金属等の磁性体（金属が埋め込まれているカードＭ）が存在する場合には、磁石１１と磁性体とが引き合うような磁力が作用する。かかる磁力の作用により、玩具１の内部構造体の磁石１１及び係止部材１０が、スプリング１２の弾性力に抗して一体的に玩具１の中央部から外部に向けて移動するため、内部構造体の係止部材１０の左右の内部係止部１０ｃ、１０ｃと外部構造体の外部係止部５ｃ、７ｃとの係止状態が解除される。
【００３４】
この結果、スプリング３０、３１、３２の弾性力により、外部構造体が図７に示すようなキャラクタの形状（第２の形状）へと変形する。この際、まず、内部係止部１０ｃ、１０ｃと外部係止部５ｃ、７ｃとの係止状態が解除されるとスプリング３１、３２の力により側方部材４〜７が回動する。次いで、側方部材４〜７の回動により、図６（ｂ）に示すように上方部材３の凸部３ｃと側方部材４の凹部４ｂとの係止状態が解除されるため、スプリング３０の弾性力により上方部材３が上方に回動することとなる。
【００３５】
また、玩具１の形状を、キャラクタの形状（第２の形状）から球形状（第１の形状）に復元するには、まず、スプリング３０の弾性力に抗して外部構造体の上方部材３を下方に回動させる。次いで、スプリング３１、３２の弾性力に抗して外部構造体の側方部材４〜７を前方中央に向けて回動させ、上方部材３の凸部３ｃと側方部材４の凹部４ｂとを係止させるとともに、外部構造体の外部係止部５ｃ、７ｃと、内部構造体の内部係止部１０ｃ、１０ｃと、を係止させる。かかる操作により、玩具１の外部構造体の形状は球形状に復元される。そして、再度磁力が作用するまで玩具１の球形状は維持されることとなる。
【００３６】
以上説明した実施形態に係る玩具１においては、玩具１の外部から磁石１１を吸引する力（磁力）が作用しない限り、玩具１は転動自在な球形状（第１の形状）を維持することができる。従って、例えば、本実施形態に係る玩具１を走行玩具上で走行させるようなシューティングゲーム等の遊戯を実現させることが可能となる。また、玩具１の外部から磁力を作用させるだけで、玩具１の内部の磁石１１及び係止部材１０が移動して内部構造体の内部係止部１０ｃ、１０ｃと外部構造体の外部係止部５ｃ、７ｃとの係止状態が解除されるので、玩具１は球形状からキャラクタの形状（第２の形状）へと自動的に変形することができる。従って、例えば、走行玩具の特定位置に金属等の磁性体を配置しておくことにより、転動自在な球形状で走行玩具上を走行する玩具１を特定位置で突然別の形状（第２の形状）に変形させることが可能となる。また、玩具１を変形させるための機構が比較的簡素であるので、玩具１の小型化を実現させることも可能となる。この結果、玩具１の商品価値を格段に向上させることができ、遊戯者に新鮮な驚きや知的興奮を与えることが可能となる。
【００３７】
また、以上説明した実施形態に係る玩具１においては、外部構造体がキャラクタの形状（第２の形状）から球形状（第１の形状）へと復元自在な構成とされており、しかも、外部構造体を球形状へと復元させた場合に内部係止部１０ｃ、１０ｃと外部係止部５ｃ、７ｃとの係止状態が実現され、その球形状が再度維持されることとなる。従って、磁力の作用により玩具１が球形状からキャラクタの形状へと変形した後においても、玩具１を転動自在な球形状に復元して再使用することができるので、シューティングゲーム等の遊戯を繰り返し行うことができる。
【００３８】
＜第２実施形態＞
次に、図８〜図１５を参照して、本発明の第２実施形態に係る玩具１Ａについて説明する。本実施形態に係る玩具１Ａは、磁力の作用により、転動自在な球形状（第１の形状：図９〜図１１）から、「凶悪な竜」を象徴する架空のキャラクタの形状（第２の形状：図１３〜図１５）へと変形するものである。
【００３９】
まず、本実施形態に係る玩具１Ａの構成について説明する。
【００４０】
玩具１Ａは、図８〜図１１に示すように、玩具１Ａの外側に配置され全体として球形状を形成する外部構造体と、外部構造体の内部に収納される内部構造体と、から構成されている。外部構造体は、玩具１Ａの下方に配置される半球部を構成する半球構成部材２Ａ、２Ｂ、玩具１Ａの半球部の下方に回動自在に取り付けられる脚部材３Ａ、３Ｂ、玩具１Ａの半球部の上方中央部に回動自在に取り付けられる中央回動部材４Ａ、４Ｂ、玩具１Ａの半球部の上方左右側方部に回動自在に取り付けられる側方回動部材７Ａ、７Ｂ等を有している。また、内部構造体は、玩具１Ａの半球部の内部に回動自在に配置される内部回動部材８Ａ、内部回動部材８Ａの下方に固定される磁石９Ａ、内部回動部材８Ａの回動に連動して回動する回動係止部材１０Ａ、回動係止部材１０Ａを特定方向に回動させるための力を作用させるスプリング１１Ａ等を有している。
【００４１】
外部構造体の半球構成部材２Ａ、２Ｂは、図８に示すように、半球を中央で切断したような形状を呈しており、左右一対組み合わせられてボルト４０Ａで結合されることにより半球部を構成する。半球構成部材２Ａ、２Ｂにより構成された半球部内には中空部が形成されており、この中空部に内部構造体の内部回動部材８Ａ、磁石９Ａ、回動係止部材１０Ａ等が収納される。また、半球構成部材２Ａ、２Ｂにより構成された半球部の下方には孔部が形成されており、この孔部から磁石９Ａが外部に露出するようになっている。内部回動部材９Ａ等については後に詳述する。
【００４２】
外部構造体の脚部材３Ａ、３Ｂは、キャラクタの脚部に相当する部分であり、図８及び図１０等に示すように、半球構成部材２Ａ、２Ｂの下方側部に、各々回動軸を介して回動自在に連結されている。脚部材３Ａ、３Ｂは、遊戯者が指でその一部を把持して略１８０°回動させることにより、図１３及び図１５に示すようにキャラクタの脚部として使用することができる。また、脚部材３Ａ、３Ｂを脚部として使用しない場合には、図１０及び図１１に示すように、脚部材３Ａ、３Ｂの外表面が球形状の一部を構成するようになっている。
【００４３】
外部構造体の中央回動部材４Ａ、４Ｂは、図８〜図１０等に示すように、所定の厚さを有する略円弧形状の部材であり、その外周面は球形状の一部を構成する。中央回動部材４Ａ、４Ｂは、図８及び図１２等に示すように、連結回動部材５Ａを介して半球構成部材２Ａ、２Ｂに連結されている。半球構成部材２Ａ、２Ｂの上部には、各々、左右方向の回動軸２０Ａ（図１２）を介して連結回動部材５Ａを回動自在に連結するための第１の軸受部２Ａａ、２Ｂａが設けられている。連結回動部材５Ａの一方の端部は、これら半球構成部材２Ａ、２Ｂの第１の軸受部２Ａａ、２Ｂａに回動軸２０Ａを介して回動自在に連結される。また、連結回動部材５Ａの他方の端部は、中央回動部材４Ａ、４Ｂの一方の端部に回動軸２１Ａを介して回動自在に連結される。この際、連結回動部材５Ａは中央回動部材４Ａ、４Ｂの間に挟みこまれるように配置される。また、連結回動部材５Ａと中央回動部材４Ａ、４Ｂとの間に配置されるスプリング３０Ａの弾性力により、中央回動部材４Ａ、４Ｂが後方に回動するように付勢されている。
【００４４】
また、連結回動部材５Ａには、図８及び図１２に示すように、内部構造体の回動係止部材１０Ａの内部係止部１０Ａｃに係止されるＬ字状の外部係止部５Ａａが設けられている。玩具１Ａに磁力が作用せず内部構造体の内部係止部１０Ａｃがスプリング１１Ａの弾性力により前方に回動するように付勢されている場合には、図１２（ａ）に示すように、連結回動部材５Ａの外部係止部５Ａａが内部係止部１０Ａｃに係止しているため、連結回動部材５Ａ及び中央回動部材４Ａ、４Ｂが上方に回動することはない。一方、玩具１Ａに磁力が作用して内部構造体の内部係止部１０Ａｃが後方に回動した場合には、図１２（ｂ）に示すように、内部係止部１０Ａｃと外部係止部５Ａａとの係止状態が解除されるため、スプリング３０Ａの弾性力により、中央回動部材４Ａ、４Ｂが後方に回動する。すると、半球構成部材２Ｂの後方に設けられた凸部２Ｂｂに中央回動部材４Ａ、４Ｂの外表面が当接し、この凸部２Ｂｂからの反力により中央回動部材４Ａ、４Ｂ及び連結回動部材５Ａが上方へ押し上げられる。また、スプリング３１Ａ、３１Ｂの弾性力で回動する側方回動部材７Ａ、７Ｂの各後端部により、中央回動部材４Ａ、４Ｂが前方へ押圧される。この結果、中央回動部材４Ａ、４Ｂ及び連結回動部材５Ａは上方及び前方へ回動することとなる。
【００４５】
また、中央回動部材４Ａ、４Ｂの間には、角部材６Ａが回動軸２２Ａを介して回動自在に連結されている。角部材６Ａは、遊戯者が指でその先端を把持して所定角度回動させることにより、図１３〜図１５に示すようにキャラクタの角部として使用することができる。また、角部材６Ａを角部として使用しない場合には、図９〜図１１に示すように、角部材６Ａの外表面が球形状の一部を構成するようになっている。
【００４６】
外部構造体の側方回動部材７Ａ、７Ｂは、図８〜図１１等に示すように、半球を中央で切断したような形状を呈しており、そのサイズは半球構成部材２Ａ、２Ｂよりも若干小さくされている。側方回動部材７Ａ、７Ｂは、図８及び図１４に示すように、半球構成部材２Ａ、２Ｂの上部に回動自在に連結されている。半球構成部材２Ａ、２Ｂの上部には、各々、上下方向の回動軸２３Ａ、２３Ｂを介して側方回動部材７Ａ、７Ｂを回動自在に連結するための第２の軸受部２Ａｃ、２Ｂｃが設けられている。側方回動部材７Ａ，７Ｂの一方の端部は、これら半球構成部材２Ａ、２Ｂの第２の軸受部２Ａｃ、２Ｂｃに回動軸２３Ａ、２３Ｂを介して回動自在に連結される。この際、側方回動部材７Ａ、７Ｂと半球構成部材２Ａ、２Ｂとの間に配置されるスプリング３１Ａ、３１Ｂの弾性力により、側方回動部材７Ａ、７Ｂが後方に回動するように付勢されている。
【００４７】
玩具１Ａに磁力が作用せず中央回動部材４Ａ、４Ｂ及び連結回動部材５Ａが回動しない場合には、図１２（ａ）に示すように、側方回動部材７Ａ、７Ｂの各後端部が、中央回動部材４Ａ、４Ｂの各後端部に当接しているため、側方回動部材７Ａ、７Ｂが回動することはない。一方、玩具１Ａに磁力が作用して中央回動部材４Ａ、４Ｂが上方に回動した場合には、中央回動部材４Ａ、４Ｂの各後端部の後方に、側方回動部材７Ａ、７Ｂの各後端部が入り込むような若干の間隙が形成されるため、側方回動部材７Ａ、７Ｂの回動が許容される。そして、側方回動部材７Ａ、７Ｂの各後端部によって前方へ押圧された中央回動部材４Ａ、４Ｂは、上方及び前方へと回動することとなる。
【００４８】
なお、外部構造体の中央回動部材４Ａ、４Ｂ及び連結回動部材５Ａは本発明における第１の外部回動部材に相当し、回動軸２０Ａ、２１Ａは本発明における第１の外部回動軸に相当する。また、側方回動部材７Ａ、７Ｂは本発明における第２の外部回動部材に相当し、回動軸２３Ａ、２３Ｂは本発明における第２の外部回動軸に相当する。また、中央回動部材４Ａ、４Ｂを回動させるための力を作用させるスプリング３０Ａ及び側方回動部材７Ａ、７Ｂを回動させるための力を作用させるスプリング３１Ａ、３１Ｂは、本発明における回動手段及び変形手段に相当する。
【００４９】
内部構造体の内部回動部材８Ａは、図８及び図１２等に示すように、大円筒部８Ａａと、大円筒部８Ａａから一方向に延在するように設けられた延在部８Ａｂと、大円筒部８Ａａから延在部８Ａｂの延在方向と略直角な方向に延在するように設けられた２本の突片８Ａｃ、８Ａｃと、を有している。内部回動部材８Ａの大円筒部８Ａａは、半球構成部材２Ｂの内部に設けられた回動軸部２Ｂｂにボルト４０Ｂで連結される。これにより、内部回動部材８Ａは左右方向の回動軸（第１の内部回動軸）を中心に回動自在となっている。また、内部回動部材８Ａの延在部８Ａｂの下端には磁石９Ａが固着されている。磁石９Ａは、図１２に示すように、玩具１Ａの表面（外部構造体の半球構成部材２Ａ、２Ｂの表面）近傍に配置される。また、磁石９Ａと玩具１Ａの表面近傍付近の間には、図１２に示すように、磁石９Ａが回動できるだけの空間が設けられており、玩具１Ａの中心位置から玩具１Ａの表面近傍付近の間に、この空間と磁石９Ａとがほぼ直線上に位置している。
【００５０】
内部構造体の回動係止部材１０Ａは、図８及び図１２等に示すように、小円筒部１０Ａａと、小円筒部１０Ａａから一方向に突出するように設けられた突部１０Ａｂと、小円筒部１０Ａａから突部１０Ａｂと反対方向に延在するように設けられたＬ字状の内部係止部１０Ａｃと、を有している。回動係止部材１０Ａの小円筒部１０Ａａは、半球構成部材２Ｂの内部に設けられた内部軸受部２Ｂｅにピン５０Ａを介して連結される。これにより、回動係止部材１０Ａは、左右方向の回動軸（第２の内部回動軸）を中心に回動自在となっている。この際、回動係止部材１０Ａと半球構成部材２Ｂとの間に配置されるスプリング１１Ａの弾性力により、回動係止部材１０Ａが特定の方向（上方に位置した内部係止部１０Ａｃが前方に回動する方向）に回動するように付勢されている。回動係止部材１０Ａの突部１０Ａｂは、図１２に示すように、内部回動部材８Ａの２本の突片８Ａｃ、８Ａｃの間に揺動自在に嵌め込まれる。また、内部回動部材８Ａの内部係止部１０Ａｃは、外部構造体の連結回動部材５Ａの外部係止部５Ａａに係止される。なお、内部構造体の内部回動部材８Ａは本発明における第１の内部回動部に相当し、回動係止部材１０Ａは本発明における第２の内部回動部に相当し、スプリング１１Ａは本発明における付勢手段に相当する。
【００５１】
次に、本実施形態に係る玩具１Ａの変形動作について説明する。
【００５２】
玩具１Ａの内部構造体の磁石９Ａの近傍に金属等の磁性体が存在しない場合には、磁石９Ａが磁力により移動することはなく、内部構造体のスプリング１１Ａの弾性力により回動係止部材１０Ａが特定の方向（上方に位置した内部係止部１０Ａｃが前方に回動するような方向）に付勢された状態が維持される。この状態においては、図１２（ａ）に示すように、内部構造体の回動係止部材１０Ａの内部係止部１０Ａｃに外部構造体の連結回動部材５Ａの外部係止部５Ａａが係止されて、図９〜図１１に示すように外部構造体の球形状が維持される。
【００５３】
一方、図１２（ｂ）に示すように、玩具１Ａの内部構造体の磁石９Ａの近傍に金属等の磁性体（金属が埋め込まれているカードＭ）が存在する場合には、磁石９Ａと磁性体とが引き合うような磁力が作用する。これにより、玩具１Ａの内部構造体の磁石９Ａ及び内部回動部材８Ａが一体的に図１２のＲ1方向に回動する。内部回動部材８Ａがこのように回動すると、内部回動部材８Ａの２本の突片８Ａｃ、８Ａｃに嵌め込まれていた回動係止部材１０Ａの突部１０Ａｂが前方に揺動し、回動係止部材１０Ａが図１２のＲ2方向に回動するため、回動係止部材１０Ａの内部係止部１０Ａｃと連結回動部材５Ａの外部係止部５Ａａとの係止状態が解除される。
【００５４】
この結果、スプリング３０Ａ、３１Ａ、３１Ｂの弾性力により、外部構造体が図１３〜図１５に示すようなキャラクタ形状（第２の形状）へと変形する。この際、まず、内部係止部１０Ａｃと外部係止部５Ａａとの係止状態が解除されると、スプリング３０Ａの弾性力により中央回動部材４Ａ、４Ｂ及び連結回動部材５Ａが回動する。次いで、中央回動部材４Ａ、４Ｂの回動により、側方回動部材７Ａ、７Ｂの回動が許容されるため、スプリング３１Ａ、３１Ｂの弾性力により側方回動部材７Ａ、７Ｂが後方に回動することとなる。
【００５５】
また、玩具１Ａの形状を、キャラクタの形状（第２の形状）から球形状（第１の形状）に復元するには、まず、スプリング３１Ａ、３１Ｂの弾性力に抗して外部構造体の側方回動部材７Ａ、７Ｂを前方に回動させる。次いで、スプリング３０Ａの弾性力に抗して外部構造体の中央回動部材４Ａ、４Ｂ及び連結回動部材５Ａを後方に回動させ、外部構造体の外部係止部５Ａａと、内部構造体の内部係止部１０Ａｃと、を係止させる。かかる操作により、玩具１Ａの外部構造体の形状は球形状に復元される。そして、再度磁力が作用するまで玩具１Ａの球形状は維持されることとなる。
【００５６】
以上説明した実施形態に係る玩具１Ａにおいては、玩具１Ａの外部から磁石９Ａを吸引する力（磁力）が作用しない限り、玩具１Ａは転動自在な球形状（第１の形状）を維持することができる。従って、例えば、本実施形態に係る玩具１Ａを走行玩具上で走行させるようなシューティングゲーム等の遊戯を実現させることが可能となる。また、玩具１Ａの外部から磁力を作用させるだけで、玩具１Ａの内部の磁石９Ａや内部回動部材８Ａが回動して内部構造体の内部係止部１０Ａｃと外部構造体の外部係止部材５Ａａとの係止状態が解除されるので、玩具１Ａは球形状からキャラクタの形状（第２の形状）へと自動的に変形することができる。従って、例えば、走行玩具の特定位置に金属等の磁性体を配置することにより、転動自在な球形状で走行玩具上を走行する玩具１Ａを特定位置で突然別の形状（第２の形状）に変形させることが可能となる。また、玩具１Ａを変形させるための機構が比較的簡素であるので、玩具１Ａの小型化を実現させることも可能となる。この結果、玩具１Ａの商品価値を格段に向上させることができ、遊戯者に新鮮な驚きや知的興奮を与えることが可能となる。
【００５７】
また、以上説明した実施形態に係る玩具１Ａにおいては、外部構造体がキャラクタの形状（第２の形状）から球形状（第１の形状）へと復元自在な構成とされており、しかも、外部構造体を球形状へと復元させた場合に内部係止部１０Ａｃと外部係止部５Ａａとの係止状態が実現され、その球形状が再度維持されることとなる。従って、磁力の作用により玩具１Ａが球形状からキャラクタの形状へと変形した後においても、玩具１Ａを転動自在な球形状に復元して再使用することができるので、シューティングゲーム等の遊戯を繰り返し行うことができる。
【００５８】
なお、本発明は以上の各実施形態に限定されるものではなく、その要旨を逸脱しない範囲において種々の変形が可能である。例えば、以上の各実施形態においては、玩具の内部に磁石を移動（回動）自在に配置し、玩具の外部に金属等の磁性体を配置して玩具内の磁石を移動（回動）させることにより、玩具の変形を実現させた例を示したが、玩具の内部に金属等の磁性体を移動（回動）自在に配置し、玩具の外部に磁石を配置して玩具内の磁性体を吸引して移動（回動）させることにより、玩具の変形を実現させてもよい。
【００５９】
また、以上の各実施形態においては、玩具内の磁性体（磁石）を吸引して、玩具の中央位置から表面近傍位置へと移動（回動）させることにより、玩具の変形を実現させた例を示したが、玩具内の磁性体（磁石）の移動（回動）の態様はこれに限られるものではない。例えば、外部の磁性体の磁極と玩具内の磁性体の磁極とを互いに反発させる等により玩具内の磁性体を玩具の表面近傍位置から中央位置へと移動（回動）させて、玩具の変形を実現させるような構成を採用することもできる。かかる構成を採用する場合には、玩具の中心位置と玩具の表面近傍付近との間に配置される磁石（例えば前記実施形態における磁石１１、９Ａ）と磁石の移動空間との位置を入れ替え、少なくとも玩具中心と磁石との間にこの空間を設けるようにする。
【００６０】
また、以上の各実施形態においては、玩具の第１の形状として「球形状」を採用した例を示したが、転動自在な他の形状（例えば、ラグビーボールの形状や円筒形状）を玩具の第１の形状として採用することもできる。また、玩具の第２の形状は特に限定されることはなく、種々の形状を採用することができる。
【００６１】
また、以上の各実施形態においては、付勢手段、変形手段及び回動手段としてスプリングを採用した例を示したが、ゴム等の他の弾性体を付勢手段等として採用することもできる。
【符号の説明】
【００６２】
１、１Ａ…玩具、３…上方部材（第２の外部回動部材）、４〜７…側方部材（第１の外部回動部材）、４Ａ、４Ｂ…中央回動部材（第１の外部回動部材）、５Ａ…連結回動部材（第１の外部回動部材）、７Ａ、７Ｂ…側方回動部材（第２の外部回動部材）、５ｃ、７ｃ、５Ａａ…外部係止部、８Ａ…内部回動部材（第１の内部回動部）、１０Ａ…回動係止部材（第２の内部回動部）、１０ｃ、１０Ａｃ…内部係止部、１１、９Ａ…磁石（磁性体）、１２、１１Ａ…スプリング（付勢手段）、２０…回動軸（第２の外部回動軸）、２１、２２…回動軸（第１の外部回動軸）、３０、３１、３２…スプリング（変形手段、回動手段）
【図１】
2011212500.tif 000003
【図２】
2011212500.tif 000004
【図３】
2011212500.tif 000005
【図４】
2011212500.tif 000006
【図５】
2011212500.tif 000007
【図６】
2011212500.tif 000008
【図７】
2011212500.tif 000009
【図８】
2011212500.tif 000010
【図９】
2011212500.tif 000011
【図１０】
2011212500.tif 000012
【図１１】
2011212500.tif 000013
【図１２】
2011212500.tif 000014
【図１３】
2011212500.tif 000015
【図１４】
2011212500.tif 000016
【図１５】
2011212500.tif 000017